(57)【特許請求の範囲】
【請求項１】
イメージセンサー手段から出力された映像信号をＤＣクランピングして出力するクランピング回路部と、
前記クランピング回路部から出力される信号をサンプリング及びホールディングする第１及び第３サンプル／ホール回路部と、前記第１サンプル／ホールド回路部から出力される信号をサンプリング及びホールディングして出力する第２サンプル／ホールド回路部と、
前記第２及び第３サンプル／ホールド回路部から各々出力される信号を再びサンプリング及びホールディングして出力する第４及び第５サンプル／ホールド回路部と、
前記第２及び第３サンプル／ホールド回路部から出力される信号を各々レベル補正し、前記第４及び第５サンプル／ホールド回路部の出力と位相同期される信号を出力する２つ以上のレベル補正部と、
前記第４及び第５サンプル／ホールド回路部と前記レベル補正部での出力信号を各々入力され、第１サンプリングパルスに応じて、前記第４及び第５サンプル／ホールド回路部の出力信号と前記レベル補正部の出力信号とを交代で通過させ所定のサンプリングノイズを除去する２つ以上のノイズ除去手段と、
前記２以上のノイズ除去手段から各々出力される信号を入力され差動増幅して出力する差動倍幅手段とを含むことを特徴とする相関二重サンプリング装置。
【請求項２】
前記第１サンプリングパルスは、前記第１サンプル／ホールド回路部と前記第４及び第５サンプル／ホールド回路部及び前記ノイズ除去手段に印加されることを特徴とする請求項１に記載の相関二重サンプリング装置。
【請求項３】
前記ノイズ除去手段は前記第１サンプリングパルスがハイの場合、前記レベル補正部の出力信号を前記差動増幅手段に入力させ、前記第１サンプリングパルスがローの場合は前記第４及び第５サンプル／ホールド回路部の出力信号を前記差動増幅手段に入力させることを特徴とする請求項１に記載の相関二重サンプリング装置。
【請求項４】
前記第２及び第３サンプル／ホールド回路部には、前記第１サンプリングパルスと違うタイミングを持つ第２サンプリングパルスが印加されることを特徴とする請求項１に記載の相関二重サンプリング装置。
【請求項５】
前記クランピング回路部には前記ノイズ除去手段の出力信号がフィードバック入力されることを特徴とする請求項１に記載の相関二重サンプリング装置。
【請求項６】
前記クランピング回路部は電流ミラー手段と充放電手段を含むことを特徴とする請求項１に記載の相関二重サンプリング装置。
【請求項７】
前記第１ないし第５サンプル／ホールド回路部は所定の入力電圧がサンプリング及びホールディングされるように充放電作用する充放電キャパシタと、前記充放電キャパシタの充放電を制御するスイッチングトランジスターと、前記入力電圧のサンプリング時前記充放電キャパシタの充電を防止する防止手段とを含むことを特徴とする請求項１に記載の相関二重サンプリング装置。
【発明の詳細な説明】
【０００１】
【発明の属する技術分野】
本発明は相関二重サンプリング装置に係り、特にノイズ除去量をさらに大きくでき、映像信号成分に及ぶ影響を排除してそのハードウェアの実装面積を減らしうる相関二重サンプリング装置に関する。
【０００２】
【従来の技術】
一般的に、カラー及び黒／白ＣＣＤ（CHARGE COUPLED DEVICE）イメージセンサーを用いたカメラの信号処理技術で相関二重サンプリング（CORRELATIVE DOUBLE SAMPLING：以下ＣＤＳと称する）は撮像されたＣＣＤの出力信号処理過程で最も先に行うべきサンプリング方法であって、これはＣＣＤの出力信号に含まれているノイズを除去して純粋映像情報のみを得ることである。前記ＣＣＤイメージセンサーから出力された信号の第１処理過程の相関二重サンプリングは一定した周期を有する所定の信号に同期されるサンプリングパルスを入力されて行われるが、このようにＣＣＤイメージセンサーの出力信号を処理する従来の相関二重サンプリング装置を図１に示し、図１と関連する動作波形を図２に示した。
【０００３】
図１と図２、３を参照すれば、従来の相関二重サンプリング装置はＣＣＤイメージセンサー２から出力された映像信号（図２Ａ）をＤＣカップリングするキャパシタ４と、前記キャパシタ４から出力される信号をクランピングするＤＣクランプ部６と、前記クランプ部６から発生された信号をサンプリング及びホールディングする第１、３サンプル／ホールド回路８、１４前記第１サンプル／ホールド回路８から出力されるデータを再びサンプリング及びホールディングする第２サンプル／ホールド回路１２を具備する。また、従来の相関二重サンプリング装置は前記第２、３サンプル／ホールド回路１２、１４から出力されたデータを入力され差動増幅する差動増幅部１８と、差動増幅部１８と関連して高周波成分を除去するローパスフィルタ（ＬＰＦ）２０と、前記第１サンプル／ホールド回路８に所定の第１サンプリングパルス（図２Ｂ）をバッファリングして提供する第１バッファ部１０、前記第２、３サンプル／ホールド回路１２、１４に所定の第２サンプリングパルス（図２Ｃ）を各々バッファリングして提供する第２バッファ部１６を具備する。ここで、前記ＤＣクランプ部６には図２Ｄに示されているようなクランプパルスが入力され、第２、３サンプル／ホールド回路１２、１４から出力された信号はＤＣクランプ部６にフィードバックされ入力される。
【０００４】
前記のように構成された従来の相関二重サンプリング装置の作用及び動作を図１及び図２、３に基づき説明すれば次のようである。
【０００５】
ＣＣＤカメラシステム（図示せず）で被写体を撮像すれば、ＣＣＤイメージセンサー２は図２Ａに示されているような映像信号を出力する。前記映像信号はキャパシタ４でＤＣカップリングされた後ＤＣクランプ部６に入力される。クランプ部６は図２Ｄに示されているようなクランプパルスによりＤＣカップリングされた前記映像信号をＤＣ再生して第１、３サンプル／ホールド回路８、１４に入力する。前記ＤＣ再生はクランプパルス（図２Ｄ）がハイの区間、即ちＣＣＤイメージセンサー２の出力がダークレベルに該当される区間を基準として行われる。
【０００６】
前記のようにＤＣクランプ部６から出力された信号がＤＣを保ちながら第１サンプル／ホールド回路８に入力されると、第１サンプル／ホールド回路８は図２Ｂに示されたような第１サンプリングパルスの周期に合わせてハイとなる時、該当するＣＣＤイメージセンサー２の信号をサンプリングし、ロー期間にはホールディング動作を繰返して図２Ｅのような波形を出力する。
【０００７】
同様に、ＤＣクランプ部６から出力された信号がＤＣを保ちながら第３サンプル／ホールド回路１４に入力されると、第３サンプル／ホールド回路１４は図２Ｃに示されたような第２サンプリングパルスの周期に合わせてハイとなる時、該当するＣＣＤイメージセンサー２の信号をサンプリングし、ロー期間にはホールディング動作を繰返して図３Ｇのような波形を出力する。
【０００８】
また、第２サンプル／ホールド回路１２は第２サンプリングパルスを入力され第１サンプル／ホールド回路８でサンプリングされた信号を再びサンプリングする。こうすれば、第２サンプル／ホールド回路１２から出力される波形は図３Ｆに示されているように第３サンプル／ホールド回路１４の出力波形（図３Ｇ）の周期と同じ周期を有することになる。
【０００９】
前記のようにサンプリングノイズの含まれた第２、３サンプル／ホールド回路１２、１４の出力信号を差動増幅器１８に入力すれば、前記差動増幅器１８は図３Ｈのような差信号を発生する。差動増幅器１８の出力信号（図３Ｈ）がＬＰＦ２０に入力されると、ＬＰＦ２０は前記差動増幅器１８で除去されない高周波領域のサンプリングノイズ成分を強制的に抑制して図３Ｉのような波形を出力する。ここで、前記ＬＰＦ２０が高周波領域のノイズ成分を強制的に抑制することにより映像情報のエッジ成分も図３Ｉに示されたように劣化されて出力される。前述したような従来のＣＤＳ装置では信号に対したサンプリング過程で発生されるノイズ、即ちサンプル／ホールド回路のスイッチング動作時、能動素子（例えば、トランジスター及びダイオード）の過度現象とサンプル／ホールド用キャパシタとの相関関係により発生されるノイズに対した対策として、相関二重サンプリングを行って得た両極性（＋、−）信号と、同位相のノイズ成分を差動増幅器を通して信号成分は出力させ、ノイズ成分はコモンモード除去比（COMMON MODE REJECTION RATIO：ＣＭＲＲ）により抑制する方式であった。
【００１０】
しかし、前記のような方式によれば、前記差動増幅器の特性が発生したノイズ量の抑制を支配することになる。即ち、一般的な差動増幅器のコモンモード除去比（以下、ＣＭＲＲと称する）の特性が低周波領域では良好であるが、高周波領域ではその特性が劣化するので約１０ＭＨｚ帯域以上に分布するサンプリングノイズを抑制するには適しない問題点があった。
【００１１】
また、従来のＣＤＳ装置において、差動増幅器で除去されない高周波帯域に分布するサンプリングノイズを減らすための方法として低域通過フィルター（LOW PASS FILTER：ＬＰＦ）を使用したりするが、この方法によれば前述したように所定の映像信号成分にも影響を与えて高周波帯域に分布するエッジ成分に対した利得を共に減衰させることにより、前記映像信号の質を評価する重要要素の１つである解像度の低下をもたらす問題点があった。
【００１２】
さらに従来のＣＤＳ装置では高域通過フィルター（ＨＰＦ）を通して高周波帯域に分布するノイズ成分を抽出した後、これを１８０°位相反転して原信号に加算する方法があるが、このような方法も映像信号成分に影響を与えて解像度の低下をもたらす問題点があった。
【００１３】
【発明が解決しようとする課題】
本発明は前記のような問題点を解決するため創出されたものであって、ノイズ除去量をより大きくし、ノイズ除去効率を向上させうる相関二重サンプリング装置を提供するにその目的がある。
【００１４】
本発明のさらに他の目的は映像信号成分に与えられる影響を排除して解像度を向上させ、実質的なハードウェアの具現時そのサイズを減らしうる相関二重サンプリング装置を提供することにある。
【００１５】
【課題を解決するための手段】
前記目的を達成するための本発明による相関二重サンプリング装置は、イメージセンサー手段から出力された映像信号をＤＣクランピングして出力するクランピング回路部と、前記クランピング回路部から出力される信号をサンプリング及びホールディングする第１及び第３サンプル／ホール回路部と、前記第１サンプル／ホールド回路部から出力される信号をサンプリング及びホールディングして出力する第２サンプル／ホールド回路部と、前記第２及び第３サンプル／ホールド回路部から各々出力される信号を再びサンプリング及びホールディングして出力する第４及び第５サンプル／ホールド回路部と、前記第２及び第３サンプル／ホールド回路部から出力される信号を各々レベル補正し、前記第４及び第５サンプル／ホールド回路部の出力と位相同期される信号を出力する２つ以上のレベル補正部と、前記第４及び第５サンプル／ホールド回路部と前記レベル補正部での出力信号を各々入力され、第１サンプリングパルスに応じて、前記第４及び第５サンプル／ホールド回路部の出力信号と前記レベル補正部の出力信号とを交代で通過させ所定のサンプリングノイズを除去する２つ以上のノイズ除去手段と、前記２以上のノイズ除去手段から各々出力される信号を入力され差動増幅して出力する差動倍幅手段とを含むことを特徴とする。
【００１６】
また、本発明の相関二重サンプリング装置において、前記第１サンプリングパルスは、前記第１サンプル／ホールド回路部と前記第４及び第５サンプル／ホールド回路部及び前記ノイズ除去手段に印加されることを特徴とする。
【００１７】
さらに、本発明の相関二重サンプリング装置において、前記ノイズ除去手段は前記第１サンプリングパルスがハイの場合、前記レベル補正部の出力信号を前記差動増幅手段に入力させ、前記第１サンプリングパルスがローの場合は前記第４及び第５サンプル／ホールド回路部の出力信号を前記差動増幅手段に入力させることにもその特徴があり、前記第２及び第３サンプル／ホールド回路部には、前記第１サンプリングパルスと違うタイミングを持つ第２サンプリングパルスが印加される特徴がある。
【００１８】
【発明の実施の形態】
以下、添付された図面に基づき本発明による相関二重サンプリング装置の望ましい実施例を詳しく説明する。
【００１９】
図４を参照すれば、本発明による相関二重サンプリング装置は映像信号に含まれたノイズを効率的に除去するため従来のＬＰＦまたはＨＰＦの代りにレベル補正器及びノイズ除去器を採用したものであって、従来の相関二重サンプリング装置と同様にＣＣＤイメージセンサー２から出力された映像信号（図５Ａ）をＤＣカップリングするキャパシタ４と、前記キャパシタ４から出力される信号をクランピングするＤＣクランプ部６と、前記クランプ部６から発生された信号をサンプリング及びホールディングする第１、３サンプル／ホールド回路８、１４、前記第１サンプル／ホールド回路８から出力される信号を再びサンプリング及びホールディングする第２サンプル／ホールド回路１２、前記第１サンプル／ホールド回路８に所定の第１サンプリングハルス（図５Ｂ）をバッファリングして提供する第１バッファ部１０、前記第２、３サンプル／ホールド回路１２、１４に所定の第２サンプリングパルス（図５Ｃ）を各々バッファリングして提供する第２バッファ部１６を具備する。ここで、本発明による図４の構成要素の中、図１のような作用及び動作をする構成要素には図１と同じ部材番号を与え、その詳細な説明は略する。
【００２０】
そして、本発明によるＣＤＳ装置は第２、３サンプル／ホールド回路１２、１４から出力される信号を各々２次または３次にサンプリング及びホールディングする第４、５サンプル／ホールド回路３０、３２と、前記第２、３サンプル／ホールド回路１２、１４から出力される２つの信号が各々入力されこれら信号を交代で１信号ずつ出力することにより前記第４、５サンプル／ホールド回路３０、３２の出力信号に含まれたノイズ成分を各々除去させる第１、２ノイズ除去器３６、３８の出力を各々入力され差動増幅する差動増幅器１８を含む。ここで、前記第４、５クランピング３０、３２と第１、２ノイズ除去器３６、３８は第１サンプリングパルス（図５Ｂ）をバッファリングする第３バッファ部３４からパルス信号が提供される。そして、第１、２ノイズ除去器３６、３８から出力される信号ＣＳ、ＤＳはＤＣクランプ部６０にフィードバックされ入力される。
【００２１】
前記ＤＣクランプ部６０は図６に示されているようにネガティブフィードバック方式のクランプ回路として電流ミラー及び他の回路を構成する複数のトランジスターと抵抗及びキャパシタを含んで構成され、前記サンプル／ホールド回路等と前記レベル補正器及びノイズ除去器等も図７、図８、図９に示されているように複数のトランジスターと抵抗及びキャパシタを含んで各々構成される。
【００２２】
前記のように構成された本発明によるＣＤＳ装置の作用及び動作を図４乃至図９に基づき詳しく説明すれば次のようである。
【００２３】
まず、本発明によるＣＤＳ装置は従来技術のＣＤＳ装置と同様にＣＣＤカメラシステムで被写体を撮像すれば、ＣＣＤイメージセンサー２は図５Ａに示されているような映像信号を出力する。前記映像信号はキャパシタ４でＤＣカップリングされた後ＤＣクランプ部６０に入力される。クランプ部６０は図５Ｄに示されているようなクランプパルスによりＤＣカップリングされた前記映像信号をＤＣ再生して第１、３サンプル／ホールド回路８、１４に入力する。前記ＤＣ再生はクランプパルス（図５Ｄ）がハイの区間、即ちＣＣＤイメージセンサー２の出力がダークレベルに該当する区間を基準として行われる。また、前記のようにＤＣクランプ部６０から出力された信号がＤＣを保ちながら第１サンプル／ホールド回路８に入力されると、第１サンプル／ホールド回路８は図５Ｂに示されたような第１サンプリングパルスの周期に合わせてハイとなる時、該当されるＣＣＤイメージセンサー２の信号をサンプリングし、ロー期間にはホールディング動作を繰返して図２Ｅような波形を出力する。同様に、クランプ部６０から出力された信号がＤＣを保ちながら第３サンプル／ホールド回路１４に入力されると、第３サンプル／ホールド回路１４は図５Ｃに示されたような第２サンプリングパルスの周期に合わせてハイとなる時、該当されるＣＣＤイメージセンサー２の信号をサンプリングし、ロー期間にはホールディング動作を繰返して図５Ｆのような波形を出力する。また、第２サンプル／ホールド回路１２は第２サンプリングパルスを入力され第１サンプル／ホールド回路８でサンプリングされた信号を再びサンプリングする。こうすれば、第２サンプル／ホールド回路１２から出力される波形は図５Ｅに示されているように第３サンプル／ホールド回路１４の出力波形（図５Ｆ）の周期と同じ周期を有することになる。
【００２４】
前述の通り、第２、３サンプル／ホールド回路１２、１４から同一周期の信号波形が出力されると、第４、５サンプル／ホールド回路３０、３２は再び図５Ｂのサンプリングパルスを用いてサンプリングし、図５Ｇ、図５Ｈのような信号波形を出力する。また、前記第２、３サンプル／ホールド回路１２、１４の出力信号が図７に示されているような前記各サンプル／ホールド回路の入出力間ＤＣレベルを補正するため図８のように構成された第１、２レベル補正器２６、２８に各々入力されると、第１レベル補正器２６は第２サンプル／ホールド回路１２の出力を第４サンプル／ホールド回路３０のＤＣ出力と一致させ、第２レベル補正器２８は第３サンプル／ホールド回路１４の出力を第５サンプル／ホールド回路３２のＤＣ出力と一致させた後、その出力信号を第１、２ノイズ除去器３６、３８に各々入力する。
【００２５】
前記のように、第１、２レベル補正器２６、２８及び第４、５サンプル／ホールド回路３０、３２の出力信号が第１、２ノイズ除去器３６、３８に各々入力されると、第１ノイズ除去器３６は図５Ｂのサンプリングパルスに応じて第１レベル補正器２６の出力と第４サンプル／ホールド回路３０の出力を交代で出力して図５Ｉに示されたようなサンプリングノイズの出力が除去された信号を差動増幅器１８の−側入力端に入力する。同様に、第２ノイズ除去器３８は図５Ｂのサンプリングパルスに応じて第２レベル補正器２８の出力と第５サンプル／ホールド回路３２の出力を交代で出力して図５Ｊに示されたようなサンプリングノイズの出力が除去された信号を差動増幅器１８の他側入力端に入力する。前記のようにサンプリングノイズの除去された各信号が差動増幅器１８の両入力端（＋、−）に入力されると、差動増幅器１８はその差を出力するが、この場合差動増幅器のＣＭＲＲ特性によりノイズがさらに抑制される。
【００２６】
図６に本発明のＤＣクランプ部６０の具体的な一実施例を示した。前記ＤＣクランプ部６０は回路の動作点に符合するＤＣ再生を目的とするネガティブフィードバック方式のクランプ回路として、図５Ｉ、図５Ｊの第１、２ノイズ除去器３６、３８の出力がフィードバック入力されトランジスターＱ３とトランジスターＱ４の比較動作により第１、２ノイズ除去器３６、３８の出力ＤＣ電圧をクランプ電圧と一致させる。前記のようなＤＣクランプ部６０の動作はクランプパルス（図５Ａ）がハイの区間、即ちＣＣＤイメージセンサー２の出力信号がダークの区間で成されるが、例えば第２ノイズ除去器３８の出力のＤＣ電圧がクランプ電圧より高い時はトランジスターＱ５、Ｑ７、Ｑ９、Ｑ１０よりなる電流ミラーがキャパシタＣの充電された電荷を放電させることによりトランジスターＱ１４のベース電位は降下され、クランプ出力のＤＣ電圧も降下することによりサンプル／ホールド回路を含む全体ループ（ＬＯＯＰ）のＤＣ電圧も降下し、結局フィードバックされて再び戻った第２ノイズ除去器３８のＤＣ電圧がクランプ電圧と一致するまで前記ＤＣクランプ部６０は反復動作をする。
【００２７】
そして、第２ノイズ除去器３８のＤＣ電圧がクランプ電圧より低い場合にはトランジスターＱ６、Ｑ８よりなる電流ミラーにより前記の場合と逆にキャパシタＣを充電させる動作を通して前記ＤＣクランプ部６０は第２ノイズ除去器３８のＤＣ電圧とクランプ電圧を一致させる動作をする。ここで、前記キャパシタＣに充電或は放電される電流量をΔｉ、フィードバックされるＤＣ電圧をＶｆｂｋとした場合の関係式は次のようである。
Δｉ＝［Ｖｔ／（ＩＢ１／２）］×（Ｖｆｂｋ−Ｖｃｌａｍｐ）
【００２８】
また、トランジスターＱ１１、Ｑ１２、Ｑ１３よりなる補償回路はバッファトランジスターＱ１４のベース電流を補償する回路であって、トランジスターＱ１１はトランジスターＱ１４と同じタイプのトランジスターであり、ＩＢ３＝ＩＢ２、即ち（ＩＢ３／βＱ１４）＝（ＩＢ２／βＱ１１）とし、クランプパルスのローの期間にトランジスターＱ１４のベース電流によるキャパシタ（Ｃ）の充電作用を防止する。
【００２９】
前記第１ノイズ除去器３６の出力の前記ＤＣクランプ部６０へのフィードバックループ動作は前述した第２ノイズ除去器３８の出力の前記ＤＣクランプ部６０へのフィードバックループ動作と同一である。
【００３０】
図７に本発明に使用されるサンプル／ホールド回路の具体的な一実施例を示した。図７を参照すれば、サンプル／ホールド回路の一実施例の回路は図５の動作波形図（図５Ｅ乃至図５Ｈ）に示されたように、サンプリングパルスのハイ／ローの中間値（Ｖｔｈ）とトランジスターＱ４、Ｑ５の比較動作に応じてサンプリング時はトランジスターＱ１、Ｑ２、Ｑ５、Ｑ６がターンオンされて抵抗Ｒ１を通してキャパシタＣにサンプリングされた入力電圧が出力される。そして、ホールディング時にはトランジスターＱ５、Ｑ６がターンオフされキャパシタＣは充電された電荷を次のサンプリング期間までホールドする。ここで、トランジスターＱ７、Ｑ８、Ｑ１０よりなる回路はバッファトランジスターＱ９のベース電流によるキャパシタＣの充電作用を防止するための補償回路である。
【００３１】
図８に本発明に使用されるレベル補正器２６、２８の具体的な一実施例を示した。図８を参照すれば、レベル補正器２６、２８はサンプル／ホールド回路の動作時、人出力間発生されるＤＣレベルのシフトを補償するためのものであって、ノイズ除去器３６、３８の付加回路として作用する。即ち、レベル補正器２６、２８はそのバイアス電流ソースＩＢ１．．ＩＢ４を図８のサンプル／ホールド回路のバイアス電流ソースＩＢ１．  ＩＢ４と各々一致させ、トランジスターＱ１、Ｑ２、Ｑ６、Ｑ７、Ｑ８、Ｑ９及び抵抗Ｒ１．．Ｒ３を各々同じタイプの同じ値として前記各トランジスターのベース−エミッタ間の電圧（Ｖｂｅ）値によるＤＣレベルを相互一致させる。
【００３２】
図９に本発明に使用されるノイズ除去器３６、３８の具体的な一実施例を示した。図９に示された各ノイズ除去器３６、３８はその動作及び構成自体において同一である。前記のように構成されたノイズ除去器のうち第２ノイズ除去器３８の出力発生動作を図１０乃至図１１に基づき説明すれば次のようである。図１１Ｂ、図１１Ｃに示されているような第２レベル補正器２８の出力と第５サンプル／ホールド回路３２の出力が第２ノイズ除去器３８に入力されると、前記第２ノイズ除去器３８は図１１Ｄのような第１サンプリングパルスにより前記第２レベル補正器２８の出力と第５サンプル／ホールド回路３２の出力を交代で通過させる。即ち、第１サンプリングパルスがハイの場合、前記ノイズ除去器のトランジスターＱ１４がターンオンされ第２レベル補正器２８の出力のみ通過され、第１サンプリングパルスがローの場合は前記ノイズ除去器のトランジスターＱ１３がターンオンされ第５サンプル／ホールド回路３２の出力のみ通過されることにより、究極的に図１１Ｂの波形図に示されたサンプリングノイズが除去される。従って、ノイズ除去器では最終的に図１１Ｅのようなサンプリングノイズの除去された波形が出力される。
【００３３】
【発明の効果】
前述したように本発明によるＣＤＳ装置は所定のレベル補正手段とノイズ除去手段を具備することによりサンプリングノイズをさらに効率よく除去しうる。本発明は前記実施例に限定されず、本発明の技術的思想内で当分野の通常の知識を有する者により多くの変形が可能であることは明白である。
【図面の簡単な説明】
【図１】  従来の相関二重サンプリング装置を示した構成図である。
【図２】  ＡないしＥは従来の相関二重サンプリング装置の動作波形図である。
【図３】  ＦないしＩは従来の相関二重サンプリング装置の動作波形図である。
【図４】  本発明による相関二重サンプリング装置を示した構成図である。
【図５】  Ａ乃至Ｋは本発明による相関二重サンプリング装置の動作波形図である。
【図６】  図３のクランプ部の一実施例を示した回路図である。
【図７】  図３のサンプル／ホールド回路部の一実施例を示した回路図である。
【図８】  図３のレベル補正部の一実施例を示した回路図である。
【図９】  図３のノイズ除去部の一実施例を示した回路図である。
【図１０】  本発明によるノイズ除去部の動作を説明するための回路図である。
【図１１】  本発明によるノイズ除去部の動作を説明するための説明図である。
【符号の説明】
２  ＣＣＤイメージセンサー、４  キャパシタ、６  ＤＣクランプ部、８  第１サンプル／ホールド回路、１０  第１バッファ部、１２  第２サンプル／ホールド回路、１４  第３サンプル／ホールド回路、１６  第２バッファ部、１８  差動増幅部、２０  ローパスフィルタ、２６  第１レベル補正器、２８  第２レベル補正器、３０  第４サンプル／ホールド回路、３２  第５サンプル／ホールド回路、３４  第３バッファ部、３６  第１ノイズ除去器、３８  第２ノイズ除去器、６０  ＤＣクランプ部
【図１】
0003831460.tif 000002
【図２】
0003831460.tif 000003
【図３】
0003831460.tif 000004
【図４】
0003831460.tif 000005
【図５】
0003831460.tif 000006
【図６】
0003831460.tif 000007
【図７】
0003831460.tif 000008
【図８】
0003831460.tif 000009
【図９】
0003831460.tif 000010
【図１０】
0003831460.tif 000011
【図１１】
0003831460.tif 000012